(57)【特許請求の範囲】
【請求項１】
フレームに突設された屋根側ボルトに屋根側ナットで折板が固定された折板屋根上に、太陽電池モジュールを固定するための太陽電池モジュール固定装置であって、
前記折板屋根の頂部から突出する屋根側ボルトおよび前記屋根側ナットが貫通可能な板側貫通穴が形成され、前記板側貫通穴に屋根側ボルトおよび前記屋根側ナットを貫通させた状態で前記頂部上に設置される取付台板と、
前記屋根側ボルトを貫通可能な金具側貫通穴が形成され、前記金具側貫通穴に前記屋根側ボルトを貫通させた状態で前記取付台板上に設置される架台取付金具と、
前記取付台板と前記架台取付金具とに挟持される被挟持部と前記太陽電池モジュールが固定される固定部とが形成された支持架台と、を備え、
前記被挟持部が前記取付台板と前記架台取付金具とに挟持された状態で、前記屋根側ボルトにナットを螺合させることで、前記支持架台が前記折板屋根上に固定されることを特徴とする太陽電池モジュール固定装置。
【請求項２】
前記被挟持部は、前記屋根側ボルトに対して前記折板屋根の一方の谷側となる側方に設けられ、
前記支持架台は、前記被挟持部と前記固定部とを連結する柱部を有し、
前記屋根側ボルトに対して前記柱部が設けられていない他方の谷側からアクセス可能とされることを特徴とする請求項１に記載の太陽電池モジュール固定装置。
【請求項３】
前記被挟持部は、前記屋根側ボルトに対して前記折板屋根の両方の谷側となる側方にそれぞれ設けられ、
前記支持架台は、前記被挟持部のそれぞれと前記固定部とを連結する柱部を有することを特徴とする請求項１に記載の太陽電池モジュール固定装置。
【請求項４】
前記固定部は、前記頂部の延びる方向に沿って複数設けられ、
前記複数の固定部の間に形成される溝を通して前記屋根側ボルトにアクセス可能とされることを特徴とする請求項３に記載の太陽電池モジュール固定装置。
【請求項５】
前記ナットは、フランジ部と円柱部とを有し、前記円柱部には前記屋根側ボルトに螺合可能とされたネジ穴が形成され、
前記金具側貫通穴は前記円柱部が貫通可能な大きさで形成されていることを特徴とする請求項１〜４のいずれか１つに記載の太陽電池モジュール固定装置。
【請求項６】
前記取付台板は、前記頂部の幅よりも大きい形状に形成されることを特徴とする請求項１〜５のいずれか１つに記載の太陽電池モジュール固定装置。
【請求項７】
前記金具側貫通穴は、前記頂部の延びる方向と略直角な方向に延びる長穴であることを特徴とする請求項１〜６のいずれか１つに記載の太陽電池モジュール固定装置。
【発明の詳細な説明】
【技術分野】
【０００１】
本発明は、太陽電池モジュールを屋根上に固定する太陽電池モジュール固定装置に関するものである。
【背景技術】
【０００２】
一般的に、工場、倉庫、体育館などの大型建物の屋根には鋼板を用いた折板屋根が用いられることが多い。従来、太陽電池モジュールを折板屋根に設置する方法として、傾斜した折板屋根の上に、屋根の傾斜方向に沿って支持架台を固定し、この支持架台の上に太陽電池モジュールを設置する方法がある。
【０００３】
ここで、折板屋根には、波形に折り曲げられた折板と、折板の頂部と略直角方向に波形に沿って延びるタイトフレームを備える「重ね式」の折板屋根がある。重ね式の折板屋根は、隣接した折板の頂部同士を重ね合わせ、タイトフレームの頂部に突設された固定ボルトと共締めされて構成される。
【０００４】
重ね式の折板屋根では、タイトフレームに突設された固定ボルト以外で、支持架台と折板屋根を強固に固定しようとすると、屋根材である折板に穴を開け、固定ボルトを追加するなどの措置が必要である。また、タイトフレームから突設した固定ボルトを使用して、支持架台を固定する場合でも、タイトフレームの屋根傾斜方向の設置間隔が建物により異なるため、支持架台にタイトフレームの設置間隔に合わせたねじ穴などの加工を加える必要がある。
【０００５】
そこで、折板への穴開け作業の省略や、タイトフレーム設置間隔に合わせたねじ穴の加工の省略を図ることができる固定装置として、例えば、断面がＵ字状の複数個の縦材（支持架台）取付金具を、その下面部を既設のタイトフレームの固定ボルトに共締め固定し、縦材を屋根面内方向に位置調整可能なように縦材取付金具のＵ字断面の内側側面に嵌合固定する構成が開示されている（例えば、特許文献１を参照）。
【先行技術文献】
【特許文献】
【０００６】
【特許文献１】特開２００２−３０７７４号公報
【発明の概要】
【発明が解決しようとする課題】
【０００７】
しかしながら、上記従来の技術では、複数本のタイトフレームの固定ボルトが屋根傾斜に直角な方向に芯ずれを起こしている場合、固定ボルトに取付けた縦材取付金具の屋根傾斜に直角な方向の位置もずれてくるため、縦材の設置が難しくなる。また、折板屋根と縦材取付金具の固定に使用されるタイトフレームの固定ボルトと、縦材取付金具の側面に設置され、縦材の位置調整に使用されるボルトが別部品のため、ボルト締付け作業が多く、施工性が良好でないという問題点があった。また、縦材取付金具を設置するのに、タイトフレームと折板の固定に使用している既設のナットを外さなければならず、余分な作業が増えるという問題があった。
【０００８】
本発明は、上記に鑑みてなされたものであって、タイトフレームやタイトフレーム側の固定ボルトの設置間隔の違いに容易に対応可能であり、折板屋根への太陽電池モジュールの固定作業の容易化を図ることのできる太陽電池モジュール固定装置を得ることを目的とする。
【課題を解決するための手段】
【０００９】
上述した課題を解決し、目的を達成するために、本発明は、フレームに突設された屋根側ボルトに屋根側ナットで折板が固定された折板屋根上に、太陽電池モジュールを固定するための太陽電池モジュール固定装置であって、折板屋根の頂部から突出する屋根側ボルトおよび屋根側ナットが貫通可能な板側貫通穴が形成され、板側貫通穴に屋根側ボルトおよび屋根側ナットを貫通させた状態で頂部上に設置される取付台板と、屋根側ボルトを貫通可能な金具側貫通穴が形成され、金具側貫通穴に屋根側ボルトを貫通させた状態で取付台板上に設置される架台取付金具と、取付台板と架台取付金具とに挟持される被挟持部と太陽電池モジュールが固定される固定部とが形成された支持架台と、を備え、被挟持部が取付台板と架台取付金具とに挟持された状態で、屋根側ボルトに固定ナットを螺合させることで、支持架台が折板屋根上に固定されることを特徴とする。
【発明の効果】
【００１０】
本発明によれば、既設のナットや座金、パッキンを外さずに既設のタイトフレームの固定ボルトを用いて支持架台を設置できるので、簡単な施工が可能である。また、支持架台は被挟持部を挟持されて固定されるので、設置位置を屋根平面内での調整が可能となり、タイトフレームやタイトフレーム側の固定ボルトの設置間隔の違いに容易に対応可能となる。
【図面の簡単な説明】
【００１１】
【図１】図１は、本発明の実施の形態１にかかる太陽電池モジュール固定装置で太陽電池モジュールを重ね式の折板屋根に取付けた状態を示す斜視図である。
【図２】図２は、図１に示す重ね式の折板屋根および太陽電池モジュール固定装置の概略構成を示す分解斜視図である。
【図３】図３は、太陽電池モジュール固定装置による太陽電池モジュールの固定構造を屋根傾斜方向から見た側面図である。
【図４】図４は、太陽電池モジュール固定装置による太陽電池モジュールの固定構造を屋根傾斜方向から見た断面図である。
【図５】図５は、支持架台による太陽電池モジュールの固定部分を示す屋根傾斜方向と直角な方向から見た断面図である。
【図６】図６は、取付台板の概略構成を示す斜視図である。
【図７】図７は、支持架台の概略構成を示す斜視図である。
【図８】図８は、変形例にかかる支持架台の概略構成を示す断面図である。
【図９】図９は、架台取付金具の概略構成を示す斜視図である。
【図１０】図１０は、固定ナットの概略構成を示す斜視図である。
【図１１】図１１は、モジュール取付金具の概略構成を示す斜視図である。
【図１２】図１２は、本発明の実施の形態２にかかる太陽電池モジュール固定装置で太陽電池モジュールを重ね式の折板屋根に取付けた状態を屋根傾斜方向から見た側面図である。
【図１３】図１３は、図１２に示す固定構造を屋根傾斜方向から見た断面図である。
【図１４】図１４は、支持架台の概略構成を示す斜視図である。
【図１５】図１５は、支持架台の変形例を示す斜視図である。
【図１６】図１６は、本発明の実施の形態３にかかる太陽電池モジュール固定装置で太陽電池モジュールを重ね式の折板屋根に取付けた状態を屋根傾斜方向から見た側面図である。
【図１７】図１７は、図１６に示す固定構造を屋根傾斜方向から見た断面図である。
【発明を実施するための形態】
【００１２】
以下に、本発明の実施の形態にかかる太陽電池モジュール固定装置を図面に基づいて詳細に説明する。なお、この実施の形態によりこの発明が限定されるものではない。
【００１３】
実施の形態１．
図１は、本発明の実施の形態１にかかる太陽電池モジュール固定装置で太陽電池モジュールを重ね式の折板屋根に取付けた状態を示す斜視図である。図２は、図１に示す重ね式の折板屋根および太陽電池モジュール固定装置の概略構成を示す分解斜視図である。図３は、太陽電池モジュール固定装置による太陽電池モジュールの固定構造を屋根傾斜方向から見た側面図である。図４は、太陽電池モジュール固定装置による太陽電池モジュールの固定構造を屋根傾斜方向から見た断面図である。図５は、支持架台による太陽電池モジュールの固定部分を示す屋根傾斜方向と直角な方向から見た断面図である。図６は、取付台板の概略構成を示す斜視図である。図７は、支持架台の概略構成を示す斜視図である。図８は、変形例にかかる支持架台の概略構成を示す断面図である。図９は、架台取付金具の概略構成を示す斜視図である。図１０は、固定ナットの概略構成を示す斜視図である。図１１は、モジュール取付金具の概略構成を示す斜視図である。
【００１４】
図１に示すように、太陽電池モジュール８は、重ね式の折板屋根の上に複数本設置された支持架台５の上に複数枚並べられる。太陽電池モジュール８の対向する２辺同士がモジュール取付金具１０にて固定される。
【００１５】
重ね式の折板屋根３は、図２に示すように、折板１とタイトフレーム２とを備える。折板１は、断面形状が略台形が連続するような波形に鋼板を折り曲げることで形成され、その頂部１ａが屋根の傾斜方向と略平行となるように設けられる。
【００１６】
タイトフレーム２は、屋根の傾斜方向と略直角方向に延びるとともに、折板１の波形に沿った形状に折り曲げられている。タイトフレーム２は、各梁材（図示せず）の上面に取り付けられる。タイトフレーム２の各頂部２ａには、折板１を取り付けるための固定ボルト（屋根側ボルト）２１が上向きに固着されている。
【００１７】
タイトフレーム２の頂部２ａと折板１の頂部１ａを重ね合わせ、タイトフレーム２の固定ボルト２１が貫通するように折板１の頂部１ａをタイトフレーム２に設置し、上側からパッキン２２および座金２３を介在させて、ナット（屋根側ナット）２４を固定ボルト２１に螺合させて締め付け固定することで、折板屋根３が構成される。折板屋根３は、上記パッキン２２により、折板１に形成された貫通穴の防水処理が行われている。
【００１８】
太陽電池モジュール８を折板屋根３に固定する太陽電池モジュール固定装置５０は、図３および図４に示すように、取付台板４、支持架台５、架台取付金具６、固定ナット（ナット）７、モジュール取付金具１０を備える。
【００１９】
取付台板４は、既設のタイトフレーム２に突設された固定ボルト２１およびそれに取付られたパッキン２２、座金２３、ナット２４などの部品と干渉しない板側貫通穴４１を有する。取付台板４を、タイトフレーム２の固定ボルト２１を貫通するように折板１の頂部１ａに設置し、取付台板４の上にタイトフレーム２の固定ボルト２１と干渉しないように支持架台５の下面部（被挟持部）５ａを設置する。
【００２０】
支持架台５は下面部５ａと柱部５ｂと上面部（固定部）５ｃからなり、長手方向に沿った側方の片側が開いた断面形状をしており、上面部５ｃには太陽電池モジュール８が固定される。取付台板４上に設置した支持架台５の下面部５ａを上から押さえ込むように架台取付金具６を載置し、架台取付金具６の板部６ａに設けられた金具側貫通穴６１からタイトフレーム２の固定ボルト２１を貫通させ、架台取付金具６の上面から固定ナット７をタイトフレーム２の固定ボルト２１の先端に螺合させることで、支持架台５がタイトフレーム２に固定される。
【００２１】
太陽電池モジュール８は、図５に示すように、支持架台５の上面部５ｃに設置され、支持架台５の上面部５ｃに開けられたボルト穴５１にボルト９を差し込み、モジュール取付金具１０に設けられた穴１２にボルト９が貫通し、かつモジュール取付金具１０の掛かり部１０ｃが太陽電池モジュール８と重なるようにモジュール取付金具１０を支持架台５の上面部５ｃに載置し、モジュール取付金具１０を介してナット１１をボルト９に締付けることで、支持架台５に太陽電池モジュール８が固定される。
【００２２】
取付台板４は、図６に示すように、既設のタイトフレーム２に突設された固定ボルト２１およびそれに取付られたパッキン２２、座金２３、ナット２４などの部品が貫通可能な大きさで板側貫通穴４１が形成された板状の部材である。取付台板４は、固定ボルト２１およびナット２４を貫通させた状態で折板１の頂部１ａ上に設置される。また、取付台板４は、頂部１ａの幅よりも大きな平面形状となる大きさで形成される。また、取付台板４のうち頂部１ａと接触する面には、板側貫通穴４１から取付台板４の外周部分にかけて溝４２が形成されている。板側貫通穴４１に侵入した水が溝４２を通して外部に排出されやすくなるので、板側貫通穴４１に水が溜まりにくくなる。
【００２３】
支持架台５は、図７に示すように、下面部（被挟持部）５ａと柱部５ｂと上面部（固定部）５ｃとを有し、屋根の傾斜方向に沿って見た断面形状が、側方の片側が開いたコ字形状を呈する。すなわち、支持架台５は、側方の片側が開いた断面コ字形状を、屋根の傾斜方向に押出した形状となっている。このように、支持架台５の形状としては、押出し成形あるいは曲げ加工にて製造できる形状が好ましい。
【００２４】
また、支持架台５の断面の重心を下面部５ａの上にもってくることで、支持架台５を安定して設置することが可能となる。支持架台５は折板屋根３の傾斜方向に沿って複数本設置され、相互にほぼ平行となるように配置される。支持架台５の上面部５ｃには太陽電池モジュール８を固定するモジュール取付金具１０をボルト固定するためのボルト穴５１が設けられている。
【００２５】
太陽電池モジュール８を支持架台５に固定するために使用されるボルト９は、支持架台５の上面部５ｃに接着や溶接などで直接固定するか、または、六角ボルトを使用する場合は、支持架台５の上面部５ｃに、図４に示すようなリブを設けることで、六角ボルトの回転止めが可能である。また、図８に示すように、六角ボルトの頭が抜け落ちないような囲いを有する断面形状としてもよい。
【００２６】
支持架台５は、下面部５ａが取付台板４に密着するように配置される。支持架台５の下面部５ａには、太陽電池モジュール８側に向けられた溝５ｄが屋根の傾斜方向（頂部１ａの延びる方向）に沿って延びるように形成されている。
【００２７】
架台取付金具６は、図４および図９に示すように、固定ボルト２１および後に詳説する固定ナット７の円柱部７ａが貫通可能な大きさで金具側貫通穴６１が形成された略板状形状の板部６ａを有する部材である。
【００２８】
架台取付金具６には、屋根の傾斜方向に沿って見てタイトフレーム２の固定ボルト２１を挟んだ両側となる位置に、折板屋根３側に突出する第１突起６ｃと第２突起６ｄが形成される。また、第１突起６ｃのほうが第２突起６ｄよりも突出量が大きくなっている。
【００２９】
架台取付金具６は、板部６ａのうち第２突起６ｄが形成された側で、取付台板４との間に支持架台５の下面部５ａを挟み込んだ状態で、金具側貫通穴６１に固定ボルト２１を貫通させて取付台板４上に設置される。ここで、金具側貫通穴６１は、図９に示すように、屋根の傾斜方向と略直角な方向に延びる長穴とすることが望ましい。
【００３０】
固定ナット７は、図４および図１０に示すように、円柱部７ａとフランジ部７ｂとを有する。円柱部７ａの底面から円柱軸方向に沿ってタイトフレーム２の固定ボルト２１と螺合するねじ穴７ｃが設けられている。ねじ穴７ｃをフランジ部７ｂの上面から貫通させないことで、固定ボルト２１の先端に水が溜まるのを防止できる。フランジ部７ｂは、市販の工具で締付け可能な形状、例えば六角ボルト頭のような形状となっている。
【００３１】
架台取付金具６の板部６ａのうち第２突起６ｄが形成された側で、取付台板４との間に支持架台５の下面部５ａを挟み込んだ状態で、フランジ部７ｂが板部６ａに密着するまでタイトフレーム２の固定ボルト２１に固定ナット７を螺合させることで、支持架台５をタイトフレーム２（折板屋根３）に固定できる。この際、固定ナット７の円柱部７ａが架台取付金具６の金具側貫通穴６１を貫通する。すなわち、金具側貫通穴６１は、固定ナット７の円柱部７ａが貫通可能な大きさで形成されている。なお、フランジ部７ｂの底面と架台取付金具６の板部６ａとの間に座金を挟んでもよい。
【００３２】
固定ナット７が固定ボルト２１に螺合されて支持架台５が折板屋根３に固定された状態で、架台取付金具６の第１突起６ｃの先端は取付台板４に接触する。また、架台取付金具６の第２突起６ｄは、支持架台５の下面部５ａの溝５ｄに嵌まり、支持架台５が屋根傾斜方向と略直角な方向にずれるのを防ぐ。また、架台取付金具６のうち折板屋根３側となる面の一部は、固定ナット７によって折板屋根３に固定された状態で、支持架台５に接触する接触部６ｂとして機能する。
【００３３】
モジュール取付金具１０は、太陽電池モジュール８を固定できるものであれば特に形状は問わない。例えば、図５および図１１に示すように、モジュール取付金具１０は下面部１０ａ、柱部１０ｂ、掛かり部１０ｃからなり、下面部１０ａにはボルト９が貫通する穴１２が設けてある。支持架台５の上面部５ｃにモジュール取付金具１０の下面部１０ａを設置し、掛かり部１０ｃを太陽電池モジュール８の外枠に引っ掛けて、ナット１１（図２も参照）を締付けることで、太陽電池モジュール８を支持架台５に固定できる。
【００３４】
以上説明したような構成によれば、支持架台５は、その下面部５ａが取付台板４と架台取付金具６とに挟持されて固定されているので、固定ナット７を緩めれば、支持架台５を屋根傾斜方向に自在にスライドさせることができる。また、架台取付金具６の第２突起６ｄが嵌まる溝５ｄも屋根傾斜方向に延びるように形成されているため、支持架台５の屋根傾斜方向へのスライドを阻害しない。
【００３５】
そのため、屋根傾斜方向に沿った支持架台５の取り付け位置は、タイトフレーム２の屋根傾斜方向の設置間隔にほとんど影響されずに済む。そのため、タイトフレーム２の屋根傾斜方向の設置間隔が建物によって異なっても、支持架台５に対して、設置間隔に合わせたボルト穴などの加工を施すことなく、支持架台５の屋根傾斜方向の位置を調整できる。
【００３６】
また、架台取付金具６の金具側貫通穴６１を、屋根傾斜方向と略直角に延びる長穴としたので、タイトフレーム２の固定ボルト２１が屋根傾斜に略直角な方向に位置ずれを起こしている場合でも、位置ずれを長穴で吸収することができる。したがって、支持架台５を傾けることなく屋根傾斜方向に平行に設置しやすくなる。
【００３７】
また、タイトフレーム２に突設された固定ボルト２１を利用して、固定ナット７を締付けることで支持架台５の固定と位置調整の両方ができるため、ボルトの締付け作業が少なく、簡単に施工することができる。また、支持架台５の固定に、既設のタイトフレーム２の固定ボルト２１を使用し、既設のナットを外さないで施工できる。
【００３８】
そのため、折板屋根３の防水性の低下を抑えることができる。なお、タイトフレーム２の屋根傾斜方向の配置間隔が広い場合には、屋根の負担を軽減するために、後加工で折板屋根３にボルトを打ち込み、支持架台５の取付に利用してもよい。この場合であっても、必要なボルトの一部にタイトフレーム２の固定ボルト２１を利用すれば、必要なボルトのすべてを打ち込む場合に比べて、折板屋根３の防水性の低下を抑えることができる。
【００３９】
また、固定ボルト２１に螺合するナットとして、円柱部７ａが形成されていない一般的なナットを用いた場合には、架台取付金具６の金具側貫通穴６１から固定ボルト２１がある程度の長さで突出していなければ、ナットを螺合させることが困難となる。しかしながら、本実施の形態では、固定ナット７のフランジ部７ｂから突出した円柱部７ａにもネジ穴７ｃが形成されているので、図４に示すように、金具側貫通穴６１から突出していない固定ボルト２１に固定ナット７を螺合させることができる。
【００４０】
したがって、架台取付金具６の金具側貫通穴６１から固定ボルト２１がほとんど突出していない場合であっても、固定ナット７を螺合させやすくなる。これにより、固定ボルト２１の突出量を確保するために架台取付金具６の板部６ａを薄くする必要がなくなり、板部６ａの変形に対して強度を確保しやすくなる。
【００４１】
また、取付台板４の横幅が折板屋根３の頂部１ａの幅よりも大きく形成されているので、取付台板４の上に設置する支持架台５が、タイトフレーム２から突設する固定ボルト２１やそれに取付られたパッキン２２、座金２３、ナット２４などの部品と干渉しにくくなる。また、取付台板４の横幅が折板屋根３の頂部１ａの幅よりも大きく形成されることで、支持架台５の下面部５ａとの接触面積をより大きくすることができるため、支持架台５のより安定した固定を図ることができる。
【００４２】
なお、取付台板４、支持架台５、架台取付金具６、モジュール取付金具１０および固定ナット７の材料としては、例えば，炭素鋼、高張力鋼、圧延鋼、ステンレス鋼、構造用合金鋼などの鉄系材料およびそれらを母材としためっき鋼、あるいは、アルミニウム、マグネシウム、チタン、黄銅、銅などの材料を用いてもよい。特に、支持架台５はアルミニウムを使用することで、大幅に軽量化できるため、施工性が向上する。また、アルミニウムの表面に酸化皮膜や塗装を施すことで、錆などの腐食に対する耐久性が向上する。図３に示すように、支持架台５を押出し成形にて作製できる形状（長手方向に断面形状がほとんど変化しない形状）にすることで、剛性を上げたい部分の肉厚を増やしたり、容易にリブの追加や中空構造にしたりすることができる。また、長尺の支持架台を精度よく作製できる利点もある。
【００４３】
実施の形態２．
図１２は、本発明の実施の形態２にかかる太陽電池モジュール固定装置１５０で太陽電池モジュールを重ね式の折板屋根に取付けた状態を屋根傾斜方向から見た側面図である。図１３は、図１２に示す固定構造を屋根傾斜方向から見た断面図である。図１４は、支持架台の概略構成を示す斜視図である。図１５は、支持架台の変形例を示す斜視図である。なお、上記実施の形態と同様の構成については、同様の符号を付して詳細な説明を省略する。
【００４４】
実施の形態１では、図４および図７に示すように、支持架台５は下面部５ａと柱部５ｂと上面部５ｃを有し、長手方向に沿った側方の片側が開いた断面形状をしているが、本実施の形態２では、支持架台１０５では長手方向に沿った側方の両側に柱部１０５ｂが設けられ、下面側（折板屋根側）が、長手方向に沿って形成された溝５３によって開いた形状をしている。
【００４５】
支持架台１０５は、下面部（被挟持部）１０５ａと柱部１０５ｂと上面部（固定部）１０５ｃを有する。下面部（被挟持部）１０５ａは、長手方向に沿った両側の側方に設けられた柱部１０５ｂのそれぞれの下面側から内側に向けて延びるように設けられる。すなわち、本実施の形態２では、下面部１０５ａが２つ設けられる。そして、２つの下面部１０５ａ同士の間が、支持架台１０５の下面側に形成される溝５３となる。また、下面部１０５ａの先端には、上面側に突出する突起１０５ｄが形成される。
【００４６】
支持架台１０５のうち、長手方向に沿った両側の側方に設けられた柱部１０５ｂ同士は、その上面側（太陽電池モジュール８側）に所定の間隔で設けられた上面部（固定部）１０５ｃによって連結され、上面部１０５ｃによって連結されていない柱部１０５ｂ同士の間が溝５２となる。この溝５２の間において、タイトフレーム２の固定ボルト２１を下面部の溝５３に挿入させた状態で、２つの下面部１０５ａを取付台板４と架台取付金具１０６とで挟持することで、支持架台１０５が折板屋根３に固定される。
【００４７】
支持架台１０５は、その長手方向が折板屋根３の頂部１ａが延びる方向と略平行となるように配置されるので、支持架台１０５が固定されるタイトフレーム２の固定ボルト２１に対して、折板屋根３の一方の谷側と他方の谷側との両側に下面部１０５ａが設けられる。支持架台１０５の溝５３の幅は、タイトフレーム２の固定ボルト２１やそれに取付られたパッキン２２、座金２３、ナット２４などと干渉しないような幅で形成される。
【００４８】
架台取付金具１０６は、実施の形態１と同様に板部１０６ａ、第１突起１０６ｃ、第２突起１０６ｄを有しており、板部１０６ａには固定ボルト２１および固定ナット７の円柱部７ａが貫通可能な金具側貫通穴１６１が形成されている。金具側貫通穴１６１は、実施の形態１と同様に、屋根傾斜方向に略直角な方向に延びる長穴として形成されるのが望ましい。
【００４９】
上述したように、本実施の形態２では、支持架台１０５の下面部１０５ａを取付台板４と架台取付金具１０６とで挟持することで、支持架台１０５が折板屋根３に固定されるが、下面部１０５ａが固定ボルト２１を挟んで両側に設けられ、架台取付金具１０６の第１突起１０６ｃと第２突起１０６ｄのどちらも支持架台１０５の突起１０５ｄよりも小さい突出量で形成されている。架台取付金具１０６の板部１０６ａのうち折板屋根３側となる面が、支持架台１０５の突起１０５ｄに接触する接触部１０６ｂとして機能する。支持架台１０５の突起１０５ｄと、架台取付金具１０６の第１突起１０６ｃ，第２突起１０６ｄとが係合することで、支持架台１０５が屋根傾斜方向と直角方向にずれるのを防ぐことができる。
【００５０】
支持架台１０５の下面部１０５ａを取付台板４と架台取付金具１０６とで挟持した状態で、タイトフレーム２の固定ボルト２１に固定ナット７を螺合させることで、支持架台１０５を固定させることができる。なお、支持架台１０５の両側の側面が柱部１０５ｂに塞がれているが、支持架台１０５の上面側に形成された溝５２を通してフランジ部７ｂにアクセスして固定ナット７を締め付けることができる。
【００５１】
なお、図１４に示すように、支持架台１０５の上面部１０５ｃには太陽電池モジュール８を固定するモジュール取付金具１０をボルト固定するためのボルト穴５１が形成される。
【００５２】
以上説明したように、実施の形態１では、支持架台５を折板屋根３に固定するのに、固定ナット７を支持架台５の側方から工具を入れて締める必要があるが、本実施の形態２では、溝５２を通して支持架台１０５の上面から工具を入れてナットを締め付けることができるので施工性の向上を図ることができる。
【００５３】
また、図１４に示すように、支持架台１０５の断面は両側に柱部１０５ｂを有しているため、断面剛性の向上が見込める。なお、図１５に示す支持架台１０５の変形例のように、上面部１０５ｃの他に両側の柱部１０５ｂを連結させる連結部１０５ｅを設けて溝５２の長さを短くしてもよい。連結部１０５ｅを設けることで、より一層の断面剛性の向上を図ることができる。
【００５４】
また、タイトフレーム２の固定ボルト２１の一方側だけでなく、固定ボルト２１を挟んだ両側で下面部１０５ａが取付台板４と架台取付金具１０６とに挟持されて支持架台１０５が固定されるため、太陽電池モジュール固定装置１５０の安定性が向上する。
【００５５】
また、支持架台１０５の下面部１０５ａの間に形成される溝５３の幅を、架台取付金具６の屋根傾斜方向と略直角な方向に延びる長穴として形成された金具側貫通穴１６１の長手方向の寸法と同等もしくはそれ以上にしておくことで、実施の形態１と同様に屋根傾斜に直角な方向の位置ずれを金具側貫通穴１６１で吸収できるため、支持架台１０５を傾けることなく屋根傾斜方向に平行に設置することが可能となる。
【００５６】
実施の形態３．
図１６は、本発明の実施の形態３にかかる太陽電池モジュール固定装置２５０で太陽電池モジュール８を重ね式の折板屋根３に取付けた状態を屋根傾斜方向から見た側面図である。図１７は、図１６に示す固定構造を屋根傾斜方向から見た断面図である。なお、上記実施の形態と同様の構成については、同様の符号を付して詳細な説明を省略する。
【００５７】
実施の形態１および実施の形態２では、円柱部７ａが形成された固定ナット７を使用しており、既設のタイトフレーム２に突設された固定ボルト２１の長さが３０ｍｍ程度で、既設のナット２４の上部に突き出ている螺合に使用できる残りのねじ山が少ない場合に有効な取付構造となっていた。
【００５８】
一方、本実施の形態３では、図１６および図１７に示すように市販のナット１３と座金（図示せず）を使用して、支持架台５を折板屋根３に固定している。タイトフレーム２の固定ボルト２１が長く、既設のナット２４の上部に螺合に使用できるねじ山が十分ある場合には、このような固定が可能となる。
【００５９】
実施の形態１や実施の形態２のように架台取付金具６の金具側貫通穴６１に固定ナット７の円柱部７ａを貫通させないので、タイトフレーム２の固定ボルト２１が貫通可能な程度の大きさで金具側貫通穴６１を形成すればよい。また、固定ナット７に代えて市販のナット１３を使用できるため、部材コストを抑えることができる。
【産業上の利用可能性】
【００６０】
以上のように、本発明にかかる太陽電池モジュール固定装置は、折板屋根上に太陽電池モジュールを固定する太陽電池モジュール固定装置に有用である。
【符号の説明】
【００６１】
１  折板
１ａ  頂部
２  タイトフレーム
２ａ  頂部
３  折板屋根
４  取付台板
５  支持架台
５ａ  下面部（被挟持部）
５ｂ  柱部
５ｃ  上面部（固定部）
５ｄ  溝
６  架台取付金具
６ａ  板部
６ｂ  接触部
６ｃ  第１突起
６ｄ  第２突起
７  固定ナット（ナット）
７ａ  円柱部
７ｂ  フランジ部
７ｃ  ネジ穴
８  太陽電池モジュール
９  ボルト
１０  モジュール取付金具
１０ａ  下面部
１０ｂ  柱部
１０ｃ  掛かり部
１１  ナット
１２  穴
１３  ナット
１４  座金
２１  固定ボルト（屋根側ボルト）
２２  パッキン
２３  座金
２４  ナット（屋根側ナット）
４１  板側貫通穴
４２  溝
５０  太陽電池モジュール固定装置
５１  ボルト穴
５２，５３  溝
６１  金具側貫通穴
１０５  支持架台
１０５ａ  下面部
１０５ｂ  柱部
１０５ｃ  上面部
１０５ｄ  突起
１０５ｅ  連結部
１０６  架台取付金具
１０６ａ  板部
１０６ｂ  接触部
１０６ｃ  第１突起
１０６ｄ  第２突起
１５０  太陽電池モジュール固定装置
１６１  金具側貫通穴
２５０  太陽電池モジュール固定装置
【図１】
0005805012.tif 000002
【図２】
0005805012.tif 000003
【図３】
0005805012.tif 000004
【図４】
0005805012.tif 000005
【図５】
0005805012.tif 000006
【図６】
0005805012.tif 000007
【図７】
0005805012.tif 000008
【図８】
0005805012.tif 000009
【図９】
0005805012.tif 000010
【図１０】
0005805012.tif 000011
【図１１】
0005805012.tif 000012
【図１２】
0005805012.tif 000013
【図１３】
0005805012.tif 000014
【図１４】
0005805012.tif 000015
【図１５】
0005805012.tif 000016
【図１６】
0005805012.tif 000017
【図１７】
0005805012.tif 000018